(57)【要約】【課題】集積室からの塵埃の舞い上がりを抑え、目詰まりしにくく、またごみ捨て性に優れた集塵装置を提供する。【解決手段】上部に分離室４２、下部に集塵室４１を設けたサイクロン式の集塵装置７において、前記分離室４２に排気筒２２を設け、その下部に仕切り面３１を介して延出部２３を設け、前記延出部２３と、前記集塵室４１の内壁および底面とのそれぞれの間に所定の間隙を設けると共に、前記延出部２３の外周側面は前記集塵室４１の底面に対して略垂直方向に延出するようにし、さらに前記外周側面に複数の貫通孔２５を設けたもので、前記延出部２３に設けた貫通孔２５を介して内側から外側へ向かう風の流れによって、集積室４１に堆積した綿ごみ等の塵埃を延出部２３内に留め、舞い上がりを防止することができる。【選択図】図４
2010268876.tif 000002
【特許請求の範囲】
【請求項１】
上部に分離室、下部に集塵室を設けたサイクロン式の集塵装置において、前記分離室に排気筒を設け、その下部に仕切り面を介して延出部を設け、前記延出部と前記集塵室の内壁および底面とのそれぞれの間に所定の間隙を設けると共に、前記延出部の外周側面は前記集塵室の底面に対して略垂直方向に延出するようにし、さらに前記外周側面に複数の貫通孔を設けた集塵装置。
【請求項２】
延出部と排気筒を分離可能としたことを特徴とする請求項１記載の集塵装置。
【請求項３】
延出部の径が、排気筒のそれよりも大きいことを特徴とする請求項１または２に項載の集塵装置。
【請求項４】
延出部の底面にフランジを設けたとを特徴とする請求項１〜３のいずれか１項に記載の集塵装置。
【請求項５】
請求項１〜４のいずれか１項に記載の集塵装置を備えた電気掃除機。
【発明の詳細な説明】
【技術分野】
【０００１】
本発明は、集塵装置及び電気掃除機に関するもので、特に、サイクロン式の集塵装置に関するものである。
【背景技術】
【０００２】
従来のこの種のサイクロン式の集塵装置は、遮蔽部材側面に配設されたカギ状のリブを設けるなどして、集積室からの綿ごみ等の舞い上がりを防止するようにしていた（例えば、特許文献１参照）。
【先行技術文献】
【特許文献】
【０００３】
【特許文献１】特開２００８−９３３４０号公報
【発明の概要】
【発明が解決しようとする課題】
【０００４】
しかしながら、従来のリブを設けた集塵装置の構成では、集積室からの塵埃の舞い上がりを抑えるのには充分ではなく、目詰まりの原因やごみ捨て性が悪化するといった課題があった。
【０００５】
本発明は、上記従来の課題を解決するもので、集積室からの塵埃の舞い上がりを抑え、目詰まりしにくく、またごみ捨て性に優れた集塵装置と電気掃除機を提供することを目的とする。
【課題を解決するための手段】
【０００６】
上記従来の課題を解決するために、本発明の集塵装置は、上部に分離室、下部に集塵室を設けたサイクロン式の集塵装置において、前記分離室に排気筒を設け、その下部に仕切り面を介して延出部を設け、前記延出部と前記集塵室の内壁および底面とのそれぞれの間に所定の間隙を設けると共に、前記延出部の外周側面は前記集塵室の底面に対して略垂直方向に延出するようにし、さらに前記外周側面に複数の貫通孔を設けたもので、前記延出部に設けた貫通孔を介して内側から外側へ向かう風の流れによって、集積室に堆積した綿ごみ等の塵埃を延出部内に留め、舞い上がりを防止することができる。
【０００７】
また、本発明の電気掃除機は、請求項１〜４のいずれか１項に記載の集塵装置を備えたもので、使い勝手のよい電気掃除機を提供することができる。
【発明の効果】
【０００８】
本発明の集塵装置及び電気掃除機は、集積室に堆積した綿ごみ等の塵埃を前記延出部内に留めることで舞い上がりを防止し、早期目詰まりを防止し、ごみ捨て性を向上させることができる。
【図面の簡単な説明】
【０００９】
【図１】本発明の実施の形態１における集塵装置を搭載した電気掃除機の全体斜視図
【図２】（ａ）同集塵装置の斜視図（ｂ）同集塵装置のカバーとフタを空けた状態での斜視図
【図３】同集塵装置の上流フィルター中心軸での正面断面図
【図４】同集塵装置での風の流れの様子を示した断面図
【図５】同集塵装置の上流フィルターの延出部内に塵埃が留まる様子と風の流れを示した中心軸での断面図
【図６】同集塵装置の上流フィルターの他の例を示す側面図
【図７】同集塵装置の上流フィルターの他の例を示す側面図
【発明を実施するための形態】
【００１０】
第１の発明は、上部に分離室、下部に集塵室を設けたサイクロン式の集塵装置において、前記分離室に排気筒を設け、その下部に仕切り面を介して延出部を設け、前記延出部と前記集塵室の内壁および底面とのそれぞれの間に所定の間隙を設けると共に、前記延出部の外周側面は前記集塵室の底面に対して略垂直方向に延出するようにし、さらに前記外周側面に複数の貫通孔を設けたもので、前記延出部に設けた貫通孔を介して内側から外側へ向かう風の流れによって、集積室に堆積した綿ごみ等の塵埃を延出部内に留め、舞い上がりを防止することができる。
【００１１】
第２の発明は、特に、第１の発明の延出部と排気筒を分離可能としたもので、取り外して水洗いなどの清掃ができ常に清潔な状態に保つことができる。      
【００１２】
第３の発明は、特に、第１又は第２の発明の延出部の径が、排気筒のそれよりも大きいもので、集積室に堆積した綿ごみ等の塵埃をより多く集積室内にとどまらせることができる。
【００１３】
第４の発明は、特に、第１〜３のいずれか一つの発明の延出部の底面にフランジを設けたもので、集積室に堆積した綿ごみ等の塵埃をより多く集積室内にとどまらせることができる。
【００１４】
第５の発明における電気掃除機は、請求項１〜４のいずれか１項に記載の集塵装置を備えたもので、使い勝手のよい電気掃除機を提供することができる。
【００１５】
以下、本発明の実施の形態について、図面を参照しながら説明する。なお、この実施の形態によってこの発明が限定されるものではない。
【００１６】
（実施の形態１）
本発明の第１の実施の形態における集塵装置について、図１〜５を用いて説明する。
【００１７】
図１は、本実施の形態における集塵装置を搭載した電気掃除機の全体斜視図、図２は、同集塵装置の斜視図およびカバーとフタを空けた状態での斜視図、図３は、同集塵装置の上流フィルター中心軸での正面断面図、図４は、同集塵装置での風の流れの様子を示した断面図、図５は、同集塵装置の上流フィルターの延出部内に塵埃が留まる様子と風の流れを示した中心軸での断面図である。
【００１８】
図１において、本実施の形態における集塵装置を搭載した電気掃除機は、掃除機本体１と、掃除機本体１の前方に設けた吸入口１ａに接続されるホース２と、ホース２の先端に設けられた接続パイプ３と、接続パイプ３に接続される延長管４と、延長管４の先端に接続されると共に塵埃を吸引する開口部（図示せず）を有する吸込具５からなり、掃除機本体１には、塵埃を吸引するための電動送風機６と、塵埃を集塵する集塵装置７が内蔵されている。
【００１９】
図２〜５において、本実施の形態における集塵装置７は、構成部品を大きく分けると、外郭を構成する集塵ケース８と、集塵ケース８の上面を塞ぐように構成されたカバー９と、カバー９に備え付けられた上流フィルター１２と、集塵ケース８の後部を塞ぐように設けられた下流フィルター１０と、集塵ケース８の下面を塞ぐように構成されたフタ１１か
ら構成されている。
【００２０】
上流フィルター１２は、カバー９と一体成形または、凹凸の嵌合によってカバー９に取り付けられており、カバー９は、ビジョウウエ１４とビジョウヨコ１５が、下流フィルター１０に設けられた係止部１６と集塵ケース８に設けられた係部横１８にそれぞれ嵌合することで固定されるようになっている。
【００２１】
またカバー９と集塵ケース８は、パッキンＢ２０と、図４に示すパッキンＣ３０とでエアータイトされる構成となっている。フタ１１には、パッキンＡ１９が設けられており、フタ１１に設けられた軸１３を中心に回動可能となっている。フタ１１は、ストッパー１７とによって集塵ケース８に固定でき、パッキンＡ１９にて、集塵ケース８とエアータイトできる構成となっている。２１は、集塵ケース８を掃除機本体１から取り出すときや集塵ケース８を持ち運ぶ際に握るハンドルである。
【００２２】
図３に示すように、上流フィルター１２は、排気筒２２と、外周側面に複数の貫通孔２５を有する延出部２３からなり、排気筒２２と延出部２３は、仕切り面３１によって区切られている。また仕切り面３１を境界として、上方が分離室４２、下方が集塵室４１となっている。また、延出部２３の外周側面は、集塵室４１の底面に対して、垂直方向に延出されている。また、延出部２３の外周側面は、集塵室４１の底面に対して、垂直方向に延出され、延出部２３と、集塵室４１の内壁及び底面とのそれぞれの間に所定の間隙を設けている。
【００２３】
下流フィルター１０は、ビジョウウエ１４と係止部１６との嵌合、およびフィルター軸２８と集塵ケース８に設けた軸受け部３２との固定によって集塵ケース８と固定される。図４に示すように、下流フィルター１０の後方に設けられた電動送風機６によって、吸気口２６から流入した塵埃を含む空気は、壁面３９によって、排気筒２２側に誘導され、誘導された塵埃を含む空気は、排気筒２２の接線方向から分離室４２内へ導入される。導入された塵埃を含む空気は、排気筒２２によって分離室４２内で、塵埃は遠心分離され集塵室４１に蓄積する。
【００２４】
集塵室４１に蓄積した塵埃は、フタ１１に設けられたストッパー１７をはずしてやることで、フタ１１がヒンジ部１３を回転軸として約９０度回動し、集塵室４１内の塵埃を捨てることができる。一方空気は、上流フィルター１２を通過し吸気通路Ｂ３８、吸気通路Ａ３７を通過し下流フィルター１０に配設されたプリーツフィルター２９を通過する。分離室４２にて遠心分離されず吸気通路Ｂ３８及び吸気通路Ａ３７を抜けた塵埃は、プリーツフィルター２９にて捕集される。
【００２５】
プリーツフィルター２９で捕集された塵埃は、下流フィルター１０に配設されたジョジンレバー３３を、ジョジンレバー３３を固定するレール状のホルダー３４上を動かすことによって生じる振動により、プリーツフィルター２９から剥がれ落ち、細塵室３５に蓄積する構成となっている。またホルダー３４は、下流フィルター１０にビスで固定されている。
【００２６】
図５に示すように、集塵室４１に蓄積された塵埃３６は、空気の流れにより分離室４２側へ舞い上がろうとする。この舞い上がろうとする空気は、延出部２３の側面に設けた貫通孔２５を通して延出部２３の内側から外側へ向かって流れるため、空気の流れによって舞い上がった塵埃３６は、延出部２３内に留まるため、排気筒２２に巻きつくなどして目詰まりを起こし吸引力が低下するなどの不具合を防ぐことができる。
【００２７】
また延出部２３の底面に配設されたフランジ２４によって舞い上がろうとする塵埃をよ
り延出部２３内部に留ませることができ、舞い戻りによる性能低下を防ぐことができる。
【００２８】
尚、図６に示すように、延出部２３の径を排気筒２２の径よりも大きくすれば、より多くの塵埃を延出部２３内に留まらせることができ、舞い戻りによる性能低下を更に確実に防ぐことができる。
【００２９】
また図７に示すように、延出部２３に、排気筒２２に設けた雌ねじ（図示せず）にねじ嵌合するねじ部２７を設けて、排気筒２２に、延出部２３を着脱自在に固定できるようにすれば、延出部２３のみを取り外して洗浄することができ、常に清潔に保つことができる。
【００３０】
また、上記実施の形態における集塵装置７を掃除機本体１に搭載することにより、使い勝手のよい電気掃除機を提供することができることは言うまでも無い。
【産業上の利用可能性】
【００３１】
以上のように、本発明に係る集塵装置は、延出部に設けた貫通孔を介して内側から外側へ向かう風の流れによって、集積室に堆積した綿ごみ等の塵埃を延出部内に留め、舞い上がりを防止することができるもので、各種電気掃除機に適用できる。
【符号の説明】
【００３２】
１  掃除機本体
２  ホース
３  接続パイプ
４  延長管
５  吸込具
６  電動送風機  
７  集塵装置
８  集塵ケース
９  カバー
１０  下流フィルター
１１  フタ
１２  上流フィルター
１３  軸
１４  ビジョウウエ
１５  ビジョウヨコ
１６  係止部
１７  ストッパー
１８  係止部横
１９  パッキンＡ
２０  パッキンＢ
２１  ハンドル
２２  排気筒
２３  延出部
２４  フランジ
２５  貫通孔
２６  吸気口
２７  ねじ部
２８  フィルター軸
２９  プリーツフィルター
３０  パッキンＣ
３１  仕切り面
３２  軸受け部
３３  ジョジンレバー
３４  ホルダー
３５  細塵室
３６  塵埃
３７  吸気通路Ａ
３８  吸気通路Ｂ
３９  壁面
４１  集塵室
４２  分離室
【図１】
2010268876.tif 000003
【図２】
2010268876.tif 000004
【図３】
2010268876.tif 000005
【図４】
2010268876.tif 000006
【図５】
2010268876.tif 000007
【図６】
2010268876.tif 000008
【図７】
2010268876.tif 000009